(57)【特許請求の範囲】
【請求項１】
インストルメントパネルの内部に配置されて、該インストルメントパネルからの膨張展開時において突出するエアバッグを収納するためのエアバッグの収納用ケースであって、折り畳んだ状態の前記エアバッグの周囲を囲む周壁部を備え、該周壁部における上部側周壁と下部側周壁とを、互いに上下方向に筋違いとなるように、前記周壁部の高さ方向に沿う上方から下方への衝撃力の作用時に高さ寸法を縮小可能に変形する変形部を介在させて連結構成しており、前記変形部が変形することにより、当該変形部を中にして前記上部側周壁と前記下部側周壁とを相対的にずれ移動させることによって衝撃力を吸収するように構成したことを特徴とするエアバッグの収納用ケース。
【請求項２】
前記変形部を構成する前記連結壁が、前記周壁部における前記上部側周壁の下端と前記下部側周壁の上端とを連結した際に、前記連結壁と前記上部側周壁及び前記下部側周壁部とがクランク状を呈するように構成したことを特徴とする請求項１に記載のエアバッグの収納用ケース。
【請求項３】
前記変形部を構成する前記連結壁は、複数の段部を有することによって階段状に形成したことを特徴とする請求項２に記載のエアバッグの収納用ケース。
【請求項４】
前記変形部を構成する前記連結壁に、薄肉部を形成したことを特徴とする請求項１乃至３のいずれか位置に記載のエアバッグの収納用ケース。
【請求項５】
前記薄肉部は、前記連結壁の全周又は間欠的に形成されていることを特徴とする請求項４に記載のエアバッグの収納用ケース。
【請求項６】
前記変形部が、前記周壁部における前記上部側周壁の下端と前記下部側周壁の上端とを、断面略コ字状に形成された突起状の連結壁により連結することにより構成されており、前記連結壁を構成する上下両横桁部にそれぞれ薄肉状部を形成したことを特徴とする請求項１に記載のエアバッグの収納用ケース。
【発明の詳細な説明】
【技術分野】
【０００１】
この発明は、短時間に膨張して乗員等を保護するエアバッグ装置のエアバッグの収納用ケースに関する。
【背景技術】
【０００２】
エアバッグ装置、例えば、助手席用エアバッグ装置は、自動車の衝突などの衝撃を感知してインフレータから噴出される膨張ガスによりエアバッグを膨張展開させることで、助手席乗員を保護するように構成されている。
【０００３】
かかることから、助手席用エアバッグ装置は、折り畳み状態のエアバッグを例えば箱状の収納用ケースに収納して、収納用ケースをインストルメントパネルの内部に配置するように構成されており、自動車の衝突時などにおいて、収納用ケース内のエアバッグを膨張ガスにより膨張展開させ、インストルメントパネルに形成したリッド部を開成させることによって、エアバッグを車室内へ膨張展開させるようになっている。
【０００４】
エアバッグ装置は、インストルメントパネルにおける助手席の前方に配置されている。インストルメントパネルのエアバッグ装置搭載箇所に物体が衝突するとき、その物体に対して作動前のエアバッグ装置が衝撃を吸収緩和し物体が受ける反力を少なくすることが望まれる。そのための方法として、エアバッグ収納用ケースに変形や破断により潰れる構造を与えることが知られている。
【０００５】
そこで、かかる点に鑑み、エアバッグを収納するための従来の収納用ケースとして、例えば、次に記載するような２つの技術が知られている。
【０００６】
そのうち、一つの技術は、コンテナ（収納用ケース）に前方から衝撃が加えられたときにコンテナの座屈変形を開始させるための応力集中部を設け、かかる応力集中部をコンテナの側面部に凹条部および凸条部を設けることによって構成しており、かかる応力集中部の存在によりコンテナの全体的な圧潰変形を進行させて、インストルメントパネルに加えられた衝撃を吸収するようにしている（特許文献１参照）。
【０００７】
他の一つの技術は、収納用ケースの周壁部に、衝撃力が加わった場合に、高さ寸法を縮小可能に塑性変形する塑性変形部を配設して、当該塑性変形部を周壁部の外周面側を凹ませた肉盗み部や周壁部のコーナ部に内外周を貫通する貫通孔によって構成したものである（特許文献２参照）。
【先行技術文献】
【特許文献】
【０００８】
【特許文献１】特開平６−１２７３２４号公報
【特許文献２】特開２００１−２７０４１２号公報
【発明の開示】
【発明が解決しようとする課題】
【０００９】
しかしながら、従来における前者の技術は、コンテナの側面部に凹条部および凸条部を形成することにより構成する応力集中部を有しており、また、後者の技術は、収納用ケースの周壁部に肉盗み部や貫通孔を形成することにより構成する塑性変形部を有するものであることから、その分コンテナや収納用ケースの剛性を低くしていることになる。この結果、エアバッグを膨張展開させる際には、コンテナや収納用ケースのエアバッグ膨出用開口部が、略長方形の開口から各辺の中間部分が外方に湾曲して樽状に変形する、所謂「口開き現象」や「フィッシュマウス現象」を発生しやすくなる。開口部の変形を抑えつつ物体衝突における衝撃を吸収する構造の実現は容易でない。
【００１０】
そこで、この発明は、上記従来の技術における課題に鑑み、エアバッグの膨張展開時には十分な剛性を発揮すると共に、インストルメントパネルと物体との衝突における衝撃吸収が可能なエアバッグの収納用ケースを提供することを目的としている。
【課題を解決するための手段】
【００１１】
この発明に係るエアバッグ収納用ケースは、インストルメントパネルの内部に配置されて、インストルメントパネルからの膨張展開時において突出するエアバッグを収納するためのエアバッグの収納用ケースであって、折り畳んだ状態のエアバッグの周囲を囲む周壁部を備え、周壁部における上部側周壁と下部側周壁とを、互いに上下方向に筋違いとなるように、周壁部の高さ方向に沿う上方から下方への衝撃力の作用時に高さ寸法を縮小可能に変形する変形部を介在させて連結構成しており、変形部が変形することにより、変形部を中にして上部側周壁と下部側周壁とを相対的にずれ移動させることによって衝撃力を吸収するように構成したことを特徴とするものである。
【００１２】
かかる構成により、この発明は、自動車の低速走行などの際に物体が当たった際に、インストルメントパネルにその周壁部の高さ方向に沿う上方から下方への衝撃力を受けた場合には、変形部が変形することによって上部側周壁と下部側周壁とを相対的に上下に移動して重なるように移動する現象（以下、「せん断変形」と称することあり）を起こし、結果的に当該衝撃力を吸収する変形性能を発揮することができる。ここで、変形としては、塑性変形や破断降伏等の不可逆的な延びや曲がり、破断などの挙動と、塑性変形する部分に近接する部分で弾性変形などを伴うものであり、これらの同時的または段階的に複合されたモードとして把握できる変形を含むものである。また、衝突事故などに遭遇した場合においてエアバッグが膨張展開する際にエアバッグの収納用ケースの内面に加わる荷重に対しては、上部側周壁と下部側周壁とを相対的にずれ移動させるせん断変形を起こすことがなく、エアバッグの収納用ケースの開口部における所謂「口開き現象」や「フィッシュマウス現象」と呼ばれている変形を抑えることができ、エアバッグの膨張展開作動をより円滑に行わせることができる。
【００１３】
また、この発明に係る実施の形態における変形部を構成する連結壁が、周壁部における上部側周壁の下端と下部側周壁の上端とを連結した際に、連結壁と上部側周壁及び下部側周壁部とがクランク状を呈するように構成している。
【００１４】
かかる構成を有することにより、この発明は、周壁部の高さ方向に略沿う上方から下方への衝撃力の作用を受けた場合には、変形部が変形して上部側周壁と下部側周壁とを相対的にずれ移動させるせん断変形を起こすことによって、当該衝撃力を吸収するだけの変形性能を発揮することができ、また、エアバッグ装置が起動した場合には、横方向に掛かる荷重に対して収容用ケースに十分な剛性があるので、「口開き現象」などと呼ばれる変形を発生させず、エアバッグの膨張展開作動をより円滑かつ確実に行わせることができる。
【００１５】
また、この発明に係る実施の形態における変形部を構成する連結壁は、複数の段部を有することによって階段状に形成することにより構成している。
【００１６】
かかる構成を有することにより、この発明は、周壁部の高さ方向に略沿う上方から下方への衝撃緩和の作用が複数の段で行われることになるから、各ずれ移動が少しずつでもそれらの総和としてずれ移動量を大きく得ることができる。しかも、階段状としたため、衝撃の入力位置と周壁部の先端の部分の位置が衝撃が加わる方向に対して交差方向にずれるので、衝撃の直伝播が少なくなり、潰れ変形が向上する。
【００１７】
また、この発明に係る実施の形態における変形部を構成する連結壁は、薄肉部を形成して構成している。
【００１８】
かかる構成を有することから、この発明は、上記発明が奏する効果に加えて、薄肉部を有する連結壁によって、上部側周壁と下部側周壁とを相対的にずれ移動させるせん断変形をさらに容易に起こすことができる。
【００１９】
また、この発明に係る実施の形態における連結壁に形成した薄肉部は、連結壁の全周又は間欠的に形成されて構成している。
【００２０】
かかる構成を有することから、この発明は、上記発明が奏する効果に加えて、連結壁の全周又は間欠的に形成した薄肉部によって、上部側周壁と下部側周壁とを相対的にずれ移動させるせん断変形をさらに容易に起こすことができる。
【００２１】
さらにまた、この発明に係る実施の形態における変形部が、周壁部における上部側周壁の下端と下部側周壁の上端とを、断面略コ字状に形成された突起状の連結壁により連結することにより構成し、且つ、連結壁を構成する上下横桁部にそれぞれ薄肉状部を形成して構成している。
【００２２】
かかる構成を有することから、この発明は、変形部が上部側周壁の下端と下部側周壁の上端とを連結するコ字状に形成された突起状の連結壁で連結されていると共に、連結壁を構成する上下横桁部をそれぞれ薄肉状に形成していることから、変形部に対して上部側周壁と下部側周壁とを相対的に移動させる圧潰変形を起こしやすくなっていて、物体の当たることによるインストルメントパネルへの衝撃力を的確に吸収するだけの変形性能を発揮することができ、また、エアバッグが膨張展開する際にエアバッグの収納用ケースの内面に加わる荷重に対しては、せん断変形を起こすことがなく、エアバッグの収納用ケースの開口部における「口開き現象」や「フィッシュマウス現象」と呼ばれている変形を抑えることができ、エアバッグの膨張展開作動をより円滑に行わせることができる。
【発明の効果】
【００２３】
この発明は、インストルメントパネルにインパクトテスト用のヘッドフォームなどの物体が当たり、インストルメントパネルにエアバッグ収容用ケースが、その高さ方向に衝撃を受けた場合には、変形部の変形によって、上部側周壁と下側周壁とが高さ寸法を少なくするように移動変形して衝撃を吸収し物体が受ける反力を緩和することができる。エアバッグが展開するときには高さ方向に交差する方向に膨張するエアバッグの当接によっても変形が抑えられ、「口開き現象」や「フィッシュマウス現象」などと呼ばれる変形を抑制することができる。
【図面の簡単な説明】
【００２４】
【図１】この発明の実施例１に係る助手席用エアバッグ装置を設置したインストルメントパネルを描画した斜視図である。
【図２】図１におけるＡ−Ａ断面図である。
【図３】図１に示す助手席用エアバッグ装置を構成するエアバッグモジュールと収納用ケースとを分解して描画した斜視図である、
【図４】図１に描画したインストルメントパネルに物体が当たった際におけるＡ−Ａ断面図である。
【図５】この発明の実施例２に係るエアバッグの収納用ケースを斜め上方から見て描画した斜視図である。
【図６】図５に示す収納用ケースをインストルメントパネルに装着した状態におけるＢ−Ｂ断面図である。
【図７】この発明の実施例３に係るエアバッグの収納用ケースの隅角部付近を斜め上方内面側方向から描画した斜視図である。
【図８】図７のＣ−Ｃ断面図である。
【図９】この発明の実施例４に係るエアバッグの収納用ケースの隅角部付近を斜め下方外面側方向から描画した斜視図である。
【図１０】図９のＤ−Ｄ断面図である。
【図１１】この発明の実施例５に係るエアバッグの収納用ケースの要部をインストルメントパネルに装着した状態において描画した縦断面図である。
【図１２】図１１に描画した収納用ケースをインストルメントパネルに物体が当たった状態において描画した縦断面図である。
【図１３】この発明の実施例６に係るエアバッグの収納用ケースの要部をインストルメントパネルに装着した状態において描画した縦断面図である。
【図１４】図１３に描画した収納用ケースをインストルメントパネルに物体が当たった状態において描画した縦断面図である。
【発明を実施するための形態】
【００２５】
この発明に係るエアバッグの収納用ケースは、エアバッグの膨張展開時には十分な剛性を発揮すると共に、インストルメントパネルに物体が当たったときには物体への衝撃を緩和するのに十分な変形性能を有するように構成している。
【００２６】
次に、この発明のエアバッグの収納ケースに係る実施例について、図を用いて説明する。
【００２７】
先ず、図１から図４を用いて、この発明に係るエアバッグの収納用ケースとしての実施例１の構成について説明する。
【００２８】
自動車の計器類などを設置するインストルメントパネル１は、図１に示すように、不図示の助手席乗員に対向する位置に、「日」の字状のテアライン１ａを形成しており、テアライン１ａに囲まれた部位をエアバッグ用扉部１ｂに構成している。そして、インストルメントパネル１におけるエアバッグ用扉部１ｂに相対する内部において、図２に示すように、エアバッグモジュール２が設置されている。
【００２９】
エアバッグモジュール２は、図３に示すように、折り畳まれた状態のエアバッグ３とエアバッグ３を膨張展開させる膨張ガスを封入されたインフレータ４とを帯状体５などにより包装された状態で構成しており、収納用ケース６に収納された状態で、インストルメントパネル１の内部に設置されている。
【００３０】
収納用ケース６は、図２及び図３に記載されているように、樹脂により成形された角箱状の上部ケース７と、上部ケース７の下方に取付けられた樹脂あるいは鉄又はアルミニウムなどの金属よりなる下部ケース８を有して構成しており、リテーナー１１を介して車体１０に装着されている。したがって、上部ケース７は、熱可塑性エラストマー等を用いて型成形することにより形成され、また、下部ケース８は、やはり型による樹脂成形あるいはアルミ板や鉄板などの金属板をプレスによる深絞りなどすることにより形成されている。
【００３１】
上部ケース７は、上部が扉体７ｃに閉成された開口部７ｂを有して構成している。下部ケース８は、全体形状が角箱状を呈しており、エアバッグ３が折り畳まれた状態において構成するエアバッグモジュール２の周囲を取り囲む周壁部８ａ及び底壁部８ｂを有して構成しており、上部は開口部８ｃとなっている。
【００３２】
底壁部８ｂに設けた貫通孔８ｂ−１には、インフレータ４が嵌合設置されている。また、周壁部８ａは、図３に示すように、車体に対して前方側に面する前側周壁８ａ−１、後方側に面する後側周壁８ａ−２、左方側に面する左側周壁８ａ−３及び右方側に面する右側周壁８ａ−４を略四角形に一体に形成することにより構成している。
【００３３】
前側周壁８ａ−１及び後側周壁８ａ−２における開口部８ｃに臨む端部には、外方に逆Ｌ字状を呈するフック片８ｄが複数個形成されている。フック片８ｄは、図２に示すように、インストルメントパネル１の内面に振動溶着などにより取着された上部ケース７の係合孔７ａに係合することによって、上部ケース７に対して下部ケース８を懸架している。
【００３４】
また、図２及び図３に示すように、周壁部８ａにおける上部側周壁８１の下端と下部側周壁８２の上端とは、全周において連結壁８３を介在させることによって連結構成されている。そして、連結壁８３は、下部ケース８の高さ方向において、上部側周壁８１と下部側周壁８２とを上下方向で筋違いとなるように連結しており、下部側周壁８２に対して上部側周壁８１を外方に張り出させている。
【００３５】
上記のように構成する実施例１においては、物体Ｈがインストルメントパネル１に当たって周壁部８ｂの高さ方向に略沿う上方から下方への衝撃力の作用を受けた場合には、下部側周壁８２が車体１０に取着されているのに対して上部側周壁８１が上部ケース７を介してインストルメントパネル１側に装着されていることから、上部側周壁８１に下方にずれる力が作用し、下部側周壁８２は、周壁部８ｂの底部を車体１０、具体的には、図示しないステアリングメンバーなどに固定されているので、上部側周壁８１が下方に移動するに対して下部側周壁８２はほぼ移動せず、連結壁８３が、図２に示すインストルメントパネル１の上面に対してほぼ平行な状態から、図４に示すように、上部側周壁８１の下端との接続点が下がった傾斜状に変形する。
【００３６】
したがって、連結壁８３は、上部側周壁８１と下部側周壁８２とを相対的にずれ移動させる変形部を構成することになって、物体Ｈの当たったことによる衝撃力を吸収するだけの変形性能を発揮することができる。
【００３７】
また、エアバッグ３が膨張展開する際に加わる荷重は、下部ケース８における上部側周壁８１と下部側周壁８２とに例えば図２に示される側方（インストルメントパネル表面と平行な方向）に加わり、連結壁８３にもエアバッグの膨張による押圧（面圧）が加わる。上部側周壁８１に下方への移動を発生させる力は作用せず、したがって、下部ケース８の上部側周壁８１と連結壁８３と、及び下部側周壁８２と連結壁８３とは、それぞれＬ字形をなし、この２つのＬ字形の組み合わせでクランク状になるから、面圧に対して強度を発揮できる。結果として、「口開き現象」或いは「フィッシュマウス現象」などと呼ばれる変形を抑制することができる。
【００３８】
次に、図５ないし図１２を用いて、この発明に係る他の実施例について説明する。
【００３９】
先ず、図５及び図６に示すこの発明に係る実施例２においては、上部ケース７を使用せずに、下部ケース８をビスなどを使用して直接インストルメントパネル１に装着するタイプを示しており、下部ケース８の周壁部８ａは、後側周壁８ａ−２、左側周壁８ａ−３及び右側周壁８ａ−４において、上部側周壁８１と下部側周壁８２とが変形部を構成する連結壁８３によって上下方向で筋違いとなるように連結しており、下部側周壁８２に対して上部側周壁８１を外方に張り出させている。前側周壁８ｂ−１は、連結壁８３を介在させずに、上下方向にストレート状の壁形状を呈している。
【００４０】
かかる実施例２は、車両後方においてずれ変形が生じ、物体Ｈの衝突が専ら後側周壁８ａ−２付近に発生すると想定される場合に好ましい態様である。エアバッグ装置の配置は、インストルメントパネルの助手席により近い部位である後部側傾斜面にかかるような位置が選択される場合（リアマウント）と、フロントウィンドシールドにより近いインストルメントパネルの位置が選択される場合（トップマウント）とがあり、物体Ｈの衝突が専ら後側周壁８ａ−２付近に発生すると想定される場合とは、典型的には後者のトップマウントの場合である。物体Ｈが後側周壁８ａ−２付近に衝突すると、図６の一点鎖線で示すように前側周壁８ａ−１側ではずれ変形せず、後側周壁８ａ−２がずれ変形し、左右側周壁８ａ−３、８ａ−４が後側周壁８ａ−２側で大きくずれ変形する、いわばチルト変形する。
【００４１】
また、図７及び図８に示すこの発明の実施例３は、やはり、上部ケース７を使用せずに、下部ケース８をビスなどを使用して直接インストルメントパネル１に装着するタイプを示しており、変形部を構成する連結壁８３の全周に当たって、薄肉部８４を形成して構成している。薄肉部８４の存在により、連結壁８３が、インストルメントパネル１への物体Ｈなどの当たったとき、上部側周壁８１と下部側周壁８２とを相対的にずれ移動させるせん断変形をさらに容易に起こすことができることになる。
【００４２】
また、図９及び図１０に示すこの発明の実施例４は、同様に、上部ケース７を使用せずに、下部ケース８をビスなどを使用して直接インストルメントパネル１に装着するタイプを示しており、変形部を構成する連結壁８３における隅角部を部分的に凹条に形成することにより、連結壁８３により薄手の薄肉部８４を形成して構成したものである。したがって、薄肉部８４は、例え連結壁８３に間欠的に存するものであるとしても、連結壁８３がインストルメントパネル１への物体Ｈなどの当たるに際して、上部側周壁８１と下部側周壁８２とが相対的にずれ移動するせん断変形をさらに容易に起こさせることがきる。
【００４３】
また、図１１に示すこの発明の実施例５は、同様に、上部ケース７を使用せずに、下部ケース８をビスなどを使用して直接インストルメントパネル１に装着するタイプを示しており、変形部を構成する連結壁８３は、複数例えば二段階の段部８３−１、８３−２を有することによって階段状に形成することにより構成しており、各段部８３−１、８３−２には、やはり、薄肉部８４が形成されている。
【００４４】
かかる構成を有することにより、実施例５においては、連結壁８３が、段部８３−１、８３−２を有する階段状に形成されていることから、図１２に示すように、ずれ変形が複数の個所で発生し、それぞれの段部８３−１、８３−２で少しずつずれ変形を生じ全体として相当のずれ変形量（変形ストローク）が得られる。
【００４５】
さらに、図１３に示すこの発明の実施例６は、やはり、上部ケース７を使用せずに、下部ケース８をビスなどを使用して直接インストルメントパネル１に装着するタイプを示しており、変形部を構成する連結壁８３が、周壁部８ｂにおける上部側周壁８１の下端と下部側周壁８２の上端とを連結すべく、断面略コ字状に形成された突起状を呈して構成されている。したがって、連結壁８３は、上下一対の横桁部８３ａ、８３ｂとを立壁部８３ｃにより連結することにより構成されている。しかも、上下両横桁部８３ａ、８３ｂには、それぞれ薄肉状部８４が形成されている。そして、実施例５による下部ケース８は、立壁部８３ｃにおける上部立壁部８３ｃ−１と下部立壁部８３ｃ−２とを分割するように、上部側周壁８１と底壁部８ｂを有する下部側周壁８２とを射出成型などにより別々に成形し、その後、上部縦壁部８３ｃ−１および８３ｃ−２の先端部同士を振動溶着などにより接合することにより、構成されることになる。
【００４６】
このように構成する実施例６においては、上部側周壁８１の下端と下部側周壁８２の上端とを、断面コ字状に形成された突起状の連結壁８３により連結していると共に、連結壁８３を構成する上下横桁部８３ａ、８３ｂにそれぞれ薄肉部８４を形成することにより薄肉状になっていることから、図１４に示すように、変形部を構成する連結壁８３に対して上部側周壁８１と下部側周壁８２とが相対的に移動して圧潰変形を起こしやすくなっていて、物体Ｈなどの当たることによるインストルメントパネル１への衝撃力を的確に吸収するだけの変形性能を発揮することができ、また、エアバッグ３が膨張展開する際に下部ケース８の内面に加わる荷重に対しては、下部ケース８における上部側周壁８１と下部側周壁８２とを連結する連結壁８３は、変形することがなく、変形部を構成している連結壁８３に対して上部側周壁８１と下部側周壁８２とを相対的に移動させるせん断変形を起こすことがなく、エアバッグ３の収納用ケース６の開口部８ｃにおける所謂「口開き現象」などを抑えることができ、エアバッグ３の膨張展開作動をより円滑に行わせることができる。
【００４７】
上記いずれの実施例における変形部における変形は、塑性変形や破断降伏等の不可逆的な延びや曲がり、破断などの挙動と、塑性変形する部分に近接する部分で弾性変形などを伴うものであり、これらの同時的または段階的に複合されたモードとして把握できる。
【産業上の利用可能性】
【００４８】
この発明は、エアバッグの膨張展開時には十分な剛性を発揮すると共に、インストルメントパネルに物体が当たったときには物体への衝撃を緩和するのに十分な変形性能を有することから、特に、短時間に膨張して乗員等を保護するエアバッグ装置のエアバッグの収納用ケースに等に好適であるといえる。
【符号の説明】
【００４９】
１    インストルメントパネル
３    エアバッグ
４    インフレータ
６    収納用ケース
７    上部ケース
８    下部ケース
８ａ  開口部
８ｂ  周壁部
８１  上部側周壁
８２  下部側周壁
８３  連結壁（変形部）
８３ａ、８３ｂ  横桁部
８４  薄肉部
Ｈ    物体
【図１】
0005898897.tif 000002
【図２】
0005898897.tif 000003
【図３】
0005898897.tif 000004
【図４】
0005898897.tif 000005
【図５】
0005898897.tif 000006
【図６】
0005898897.tif 000007
【図７】
0005898897.tif 000008
【図８】
0005898897.tif 000009
【図９】
0005898897.tif 000010
【図１０】
0005898897.tif 000011
【図１１】
0005898897.tif 000012
【図１２】
0005898897.tif 000013
【図１３】
0005898897.tif 000014
【図１４】
0005898897.tif 000015